(57)【要約】【課題】より小型化されたシャッタ装置およびこれを用いた撮像装置を提供すること。【解決手段】シャッタユニット１１２は、基板３００を備える。基板３００には、ヨーク３１２と、ヨーク３１２の途中に設けられヨーク３１２を励磁するコイル３１１と、ヨーク３１２が励磁されることによって所定方向に回動するロータ３２０とが配設されている。また、基板３００には、レンズ枠３００Ｃが形成されている。ここでヨーク３１２は、レンズ枠３００Ｃの外周面を取り囲むように基板３００上に配置することが可能な略円環状の形状を有する。このように、ヨーク３１２を略円環状としたことによって、ヨーク３１２およびコイル３１１を光軸方向に寄せることができるため、結果的にシャッタユニット１１２を小型化することができる。【選択図】図２
2008040114.tif 000002
【特許請求の範囲】
【請求項１】
光軸を中心とする開口部が形成された基板と、
コイルと、ヨークと、からなる駆動手段と、
前記駆動手段の駆動により回動するロータと、
前記ロータの回動により前記開口部を開閉するセクタ部と、を備え、
前記ヨークは、前記開口部の外周形状に対応する係合可能な形状に形成されて配置されることを特徴とするシャッタ装置。
【請求項２】
光軸を中心とする開口部が形成された基板と、
コイルと、ヨークと、からなる駆動手段と、
前記駆動手段の駆動により回動するロータと、
前記ロータの回動により前記開口部を開閉するセクタ部と、を備え、
前記ヨークは、前記開口部の外周部を取り囲むように略環状に形成されて配置されることを特徴とするシャッタ装置。
【請求項３】
レンズが配置される開口部が形成された基板と、
コイルと、ヨークと、からなる駆動手段と、
前記駆動手段の駆動により回動するロータと、
前記ロータの回動により前記開口部を開閉するセクタ部と、を備え、
前記ヨークは、前記開口部の外周部を取り囲むように略環状に形成されて配置されることを特徴とするシャッタ装置。
【請求項４】
前記基板から突出し前記開口部が形成された枠部を備え、
前記ヨークは、前記枠部の外周部を取り囲むように略環状に形成されて配置されることを特徴とする請求項２または３に記載のシャッタ装置。
【請求項５】
前記ヨークは、前記枠部の外周部に係合して位置決め固定されることを特徴とする請求項４に記載のシャッタ装置。
【請求項６】
前記基板には、前記ヨークを係止する嵌合部が形成されていることを特徴とする請求項５に記載のシャッタ装置。
【請求項７】
前記枠部は、円環状に形成されており、
前記ヨークは、円環状に形成された前記枠部の外周部に沿った略円環状に形成されていることを特徴とする請求項４〜６のいずれか一つに記載のシャッタ装置。
【請求項８】
前記ヨークは、円環状に形成された前記枠部の外周部に沿った略円環状の部分と、前記コイルが設けられる直線状の部分とからなることを特徴とする請求項７に記載のシャッタ装置。
【請求項９】
前記枠部は、前記基板と一体形成されていることを特徴とする請求項４〜８のいずれか一つに記載のシャッタ装置。
【請求項１０】
前記基板には、前記ロータが収容されるロータ収容部と、前記ロータを軸受けする軸受部とが形成されていることを特徴とする請求項１〜９のいずれか一つに記載のシャッタ装置。
【請求項１１】
前記軸受部は、前記ヨークの一端部および他端部と、前記ロータの側面部との間隔を所定の間隔に保持する位置決め部を備えたことを特徴とする請求項１０に記載のシャッタ装置。
【請求項１２】
前記基板には、前記セクタ部が収容される空間部が形成されており、当該空間部を閉塞する板状の部材を備えたことを特徴とする請求項１〜１１のいずれか一つに記載のシャッタ装置。
【請求項１３】
前記コイルの長さ、個数、および配置位置は前記ヨークの形状に対応して設けられていることを特徴とする請求項１〜１２のいずれか一つに記載のシャッタ装置。
【請求項１４】
請求項１〜１３のいずれか一つに記載のシャッタ装置を備えたことを特徴とする撮像装置。
【発明の詳細な説明】
【技術分野】
【０００１】
この発明は、デジタルカメラなどの撮像装置に備えられるシャッタ装置およびこれを用いた撮像装置に関する。
【背景技術】
【０００２】
従来より、カメラ付携帯電話やデジタルカメラなどの撮像装置に搭載されるカメラモジュールの中には、セクタ（シャッタの羽根）を開閉させることによって、ＣＣＤなどの受光素子に導入される光量を調整する機械式のシャッタ装置を備えたものがある。そして、このようなシャッタ装置においては、ヨークの途中に設けられたコイルに通電することよりヨークを励磁させ、これによって生じた磁力を利用してロータを回動させることによって、ロータと連結されたセクタを開閉させるアクチュエータが多く用いられている（例えば、下記特許文献１参照。）。
【０００３】
【特許文献１】特開昭６０−２３５１２５号公報
【発明の開示】
【発明が解決しようとする課題】
【０００４】
しかしながら、上記の従来技術では、ヨークの一端部と他端部との間にロータを収めることが可能な形状としたうえで、コイルを設けることが可能な略Ｕ字状のヨークが一般的に用いられている。そして、このような略Ｕ字状のヨークをシャッタ装置に用いた場合、光軸から離れた位置にヨークおよびコイルを配置するための十分なスペースを確保しなければならず、シャッタ装置を容易に小型化することができないといった問題が生じていた。
【０００５】
特に、近年においては、カメラ付携帯電話やデジタルカメラなどの小型化に伴い、より小型なカメラモジュールが求められている中、シャッタ装置の小型化が、カメラモジュール開発において課題となっていた。
【０００６】
（従来技術によるシャッタ装置の構成）
ここで、上述した従来技術によるシャッタ装置の一例について説明する。図１７および図１８は、従来技術によるシャッタユニットの一例を示す説明図である。
【０００７】
図１７および図１８に示すように、シャッタユニット１７００は、基板１７１０を備え、当該基板１７１０の光軸１７００Ａ方向の物体側に形成された面１７１０Ａにおいては、コイル１７２１と、コイル１７２１が通電されることによって励磁されるヨーク１７２２とからなる駆動手段１７２０が配設されている。
【０００８】
また、基板１７１０の面１７１０Ａから、光軸１７００Ａ方向の反対側（像面側）の面へ向かって基板１７１０内部を貫通するようにロータ１７３０が回動自在に配設されている。このロータ１７３０の外周面は、２極の永久磁石によって着磁されている。そして、板状の閉塞板１７４０によって、ロータ１７３０が軸受けされつつ、コイル１７２１、ヨーク１７２２およびロータ１７３０が閉鎖される。
【０００９】
また、基板１７１０の内部には、ロータ１７３０の回動と連動して基板１７１０に形成された開口部１７１０Ｂを開閉するセクタ（図示省略）が配設されている。さらに、基板１７１０には、開口部１７１０Ｂよりも大きい内径を有し、図１９および図２０を用いて説明するレンズユニット１９００が嵌合される凹状の空間部１７１０Ｃが形成されている。
【００１０】
このように構成されたシャッタユニット１７００は、コイル１７２１が通電され、ヨーク１７２２が励磁されることによって、ロータ１７３０において所定方向への磁力（吸引力）が生じる。これにより、ロータ１７３０は、所定方向に回動する。そして、ロータ１７３０の回動と連動するセクタによって開口部１７１０Ｂが開閉される。
【００１１】
ここで、ヨーク１７２２は、図１７に示すように、基板１７１０上に配置されたときに一端部と他端部の間にロータ１７３０を収めることが可能であり、かつ途中にコイル１７２１を設けることが可能であり、さらにシャッタユニット１７００と図１９および図２０を用いて説明するレンズユニット１９００とが組み立てられ、一体化されたときに、レンズユニット１９００を構成するレンズ枠１９１０Ｄとの干渉を防止することが可能な略Ｕ字状の形状を有する。
【００１２】
このように、シャッタユニット１７００は、ヨーク１７２２およびコイル１７２１がレンズ枠１９１０Ｄと干渉しないように、基板１７１０上におけるレンズ枠１９１０Ｄから離れた位置にヨーク１７２２およびコイル１７２１を配置したうえで、可能な限り小型化され、このシャッタユニット１７００の光軸１７００Ａと直交する方向における外形寸法（横幅寸法）はＷ３となっているが、上述したようなシャッタユニット１７００の構成を用いる限り、シャッタユニット１７００の光軸１７００Ａと直交する方向における外形寸法を容易に小型化することができないといった問題が生じていた。
【００１３】
また、図１９および図２０は、従来技術によるレンズユニットの一例を示す説明図である。図１９および図２０において、レンズユニット１９００は、上述したシャッタユニット１７００と一体化されるものであり、基板１９１０を備え、当該基板１９１０の光軸１７００Ａ方向の物体側に形成された面１９１０Ａには、円形かつ光軸１７００Ａと同軸の開口部１９１０Ｃが形成された円筒状のレンズ枠１９１０Ｄが、面１９１０Ａから突出するように形成されている。このレンズ枠１９１０Ｄに形成された開口部１９１０Ｃの内部には、レンズ１９２１およびレンズ１９２２からなるレンズ群１９２０が配設される。
【００１４】
また、図２１は、一体化された状態のシャッタユニット１７００およびレンズユニット１９００を示す説明図である。図１７および図１８を用いて説明したシャッタユニット１７００、および図１９および図２０を用いて説明したレンズユニット１９００は、それぞれが別工程において組み立てられる。そして、シャッタユニット１７００の面１７１０Ａと、レンズユニット１９００の面１９１０Ｂとが当接しつつ、シャッタユニット１７００に形成された空間部１７１０Ｃに、レンズユニット１９００に設けられたレンズ１９２２の一部が収容されるように、シャッタユニット１７００とレンズユニット１９００とが組み立てられ、図２１に示すように一体化される。
【００１５】
このように、従来技術によるシャッタ装置は、シャッタユニット１７００と、レンズユニット１９００とを一体化したうえで、可能な限り小型することが可能な構成となっており、このシャッタ装置の光軸１７００Ａ方向における外形寸法（厚さ寸法）はＷ４となっているが、上述したようなシャッタ装置の構成を用いる限り、シャッタ装置の光軸１７００Ａ方向における外形寸法を容易に小型化することができないといった問題が生じていた。
【００１６】
この発明は、上述した従来技術による問題点を解消するため、より小型化されたシャッタ装置およびこれを用いた撮像装置を提供することを目的とする。
【課題を解決するための手段】
【００１７】
上述した課題を解決し、目的を達成するため、この発明にかかるシャッタ装置は、光軸を中心とする開口部が形成された基板と、コイルと、ヨークと、からなる駆動手段と、前記駆動手段の駆動により回動するロータと、前記ロータの回動により前記開口部を開閉するセクタ部と、を備え、前記ヨークは、前記開口部の外周形状に対応する係合可能な形状に形成されて配置されることを特徴とする。
【００１８】
また、この発明にかかるシャッタ装置は、光軸を中心とする開口部が形成された基板と、コイルと、ヨークと、からなる駆動手段と、前記駆動手段の駆動により回動するロータと、前記ロータの回動により前記開口部を開閉するセクタ部と、を備え、前記ヨークは、前記開口部の外周部を取り囲むように略環状に形成されて配置されることを特徴とする。
【００１９】
また、この発明にかかるシャッタ装置は、レンズが配置される開口部が形成された基板と、コイルと、ヨークと、からなる駆動手段と、前記駆動手段の駆動により回動するロータと、前記ロータの回動により前記開口部を開閉するセクタ部と、を備え、前記ヨークは、前記開口部の外周部を取り囲むように略環状に形成されて配置されることを特徴とする。
【００２０】
また、この発明にかかるシャッタ装置は、上記に記載の発明において、前記基板から突出し前記開口部が形成された枠部を備え、前記ヨークは、前記枠部の外周部を取り囲むように略環状に形成されて配置されることを特徴とする。
【００２１】
また、この発明にかかるシャッタ装置は、上記に記載の発明において、前記ヨークは、前記枠部の外周部に係合して位置決め固定されることを特徴とする。
【００２２】
また、この発明にかかるシャッタ装置は、上記に記載の発明において、前記基板には、前記ヨークを係止する嵌合部が形成されていることを特徴とする。
【００２３】
また、この発明にかかるシャッタ装置は、上記に記載の発明において、前記枠部は、円環状に形成されており、前記ヨークは、円環状に形成された前記枠部の外周部に沿った略円環状に形成されていることを特徴とする。
【００２４】
また、この発明にかかるシャッタ装置は、上記に記載の発明において、前記ヨークは、円環状に形成された前記枠部の外周部に沿った略円環状の部分と、前記コイルが設けられる直線状の部分とからなることを特徴とする。
【００２５】
また、この発明にかかるシャッタ装置は、上記に記載の発明において、前記枠部は、前記基板と一体形成されていることを特徴とする。
【００２６】
また、この発明にかかるシャッタ装置は、上記に記載の発明において、前記基板には、前記ロータが収容されるロータ収容部と、前記ロータを軸受けする軸受部とが形成されていることを特徴とする。
【００２７】
また、この発明にかかるシャッタ装置は、上記に記載の発明において、前記軸受部は、前記ヨークの一端部および他端部と、前記ロータの側面部との間隔を所定の間隔に保持する位置決め部を備えたことを特徴とする。
【００２８】
また、この発明にかかるシャッタ装置は、上記に記載の発明において、前記基板には、前記セクタ部が収容される空間部が形成されており、当該空間部を閉塞する板状の部材を備えたことを特徴とする。
【００２９】
また、この発明にかかるシャッタ装置は、上記に記載の発明において、前記コイルの長さ、個数、および配置位置は前記ヨークの形状に対応して設けられていることを特徴とする。
【００３０】
また、この発明にかかる撮像装置は、上記に記載のシャッタ装置を備えたことを特徴とする。
【発明の効果】
【００３１】
本発明によれば、より小型化されたシャッタ装置およびこれを用いた撮像装置を提供することができるという効果を奏する。
【発明を実施するための最良の形態】
【００３２】
以下に添付図面を参照して、この発明にかかるシャッタ装置およびこれを用いた撮像装置の好適な実施の形態を詳細に説明する。
【００３３】
（実施の形態１）
（シャッタユニットの構成）
まず、実施の形態１について説明する。実施の形態１は、この発明にかかるシャッタ装置を用いた携帯電話の構成例である。まず、この発明にかかるシャッタ装置を備えたシャッタユニット１１２の構成について説明する。図１は、この発明にかかるシャッタ装置を備えたシャッタユニット１１２の部品構成を示す説明図である。また、図２、図３および図４は、この発明にかかるシャッタ装置を備えたシャッタユニット１１２の外観を示す斜視図である。
【００３４】
図１は、シャッタユニット１１２の部品構成を示したものである。図１に示すように、レンズ枠３００Ｃの内部には、光軸１１０Ａ方向の物体側から順に第２レンズ群６００（レンズ６００Ａ、レンズスペーサ６００Ｂ、レンズ６００Ｃ）が配設され、最後にレンズ押え環６００Ｄによって位置決め固定される。これにより第２レンズ群６００は、レンズ押え環６００Ｄによってレンズ枠３００Ｃの内部に形成された当接面に対して押さえつけられるようにして支持される。
【００３５】
また、図１に示されるように、シャッタユニット１１２の組み立て時には、まず、光軸１１０Ａの物体側から駆動手段３１０がレンズ枠３００Ｃに挿嵌され、当該レンズ枠３００Ｃ、および軸受部３００Ｂに備えられた位置決め部３００Ｓによって位置決め固定され、係止ツメ３００Ｄ（図２参照）によって係止される。
【００３６】
そして、光軸１１０Ａの像面側から、第２レンズ群６００がレンズ枠３００Ｃの内部に挿嵌され、上述したようにレンズ押え環６００Ｄによって押さえつけられるようにして支持される。さらに、光軸１１０Ａの像面側から、ロータ３２０がロータ収容部３００Ｊに挿入され、軸受部３００Ｂによって軸受けされる。
【００３７】
さらに、セクタ部５００がロータ３２０と係合するように空間部３００Ｇ（図４参照）に配置される。最後に、裏板４００が、空間部３００Ｇを閉塞するように、螺子４０１によって螺着されることによって、ロータ３２０およびセクタ部５００が支持される。
【００３８】
図２は、シャッタユニット１１２の光軸１１０Ａ方向の物体側を示したものである。図２に示すように、シャッタユニット１１２は、基板３００を備え、当該基板３００の光軸１１０Ａ方向の物体側に形成された面３００Ａにおいては、ヨーク３１２と、ヨーク３１２の途中に設けられ、通電されることによってヨーク３１２を励磁するコイル３１１とからなる駆動手段３１０が配設されている。
【００３９】
また、基板３００における、ヨーク３１２の一端部と他端部との間には、基板３００の面３００Ａから、光軸１１０Ａ方向の反対側（像面側）の面３００Ｆ（図３参照）へ向かって貫通するようにロータ３２０が収容されるロータ収容部３００Ｊ（図１参照）が形成されている。そして、ロータ収容部３００Ｊに収容されたロータ３２０は、基板３００から突出するように形成された軸受部３００Ｂによって軸３２０Ａが軸受けされ、光軸１１０Ａ方向への移動が係止される。
【００４０】
ここで軸受部３００Ｂは、その柱部において、ヨーク３１２の一端部と他端部との間に挟まれるように、ヨーク３１２の一端部と他端部とを位置決め固定し、ヨーク３１２の一端部および他端部と、ロータ３２０の側面部との間隔を所定の間隔に保持する所定の幅を有する位置決め部３００Ｓ（図１参照）を備える。
【００４１】
また、基板３００には、円形かつ光軸１１０Ａと同軸の開口部３００Ｅが形成された円筒状のレンズ枠（枠部）３００Ｃが、基板３００の面３００Ａから突出するように形成されている。このレンズ枠３００Ｃに形成された開口部３００Ｅの内部には、第２レンズ群６００（図１参照）が配設される。
【００４２】
ここで、ヨーク３１２は、図２に示すように、円環状に形成されたレンズ枠３００Ｃのレンズ枠３００Ｃの外周形状に対応する係合可能な形状に形成されている。また、ヨーク３１２は、レンズ枠３００Ｃの外周部に沿った略円環状（略環状）の円環部３１２Ａと、コイル３１１が設けられる直線状の直線部３１２Ｓとからなる。また、ヨーク３１２は、レンズ枠３００Ｃの外周面を取り囲むように基板３００上に配置される。そして、ヨーク３１２は、レンズ枠３００Ｃの外周面に嵌合して位置決め固定される。
【００４３】
また、ヨーク３１２の円環部３１２Ａは、その内周面においてレンズ枠３００Ｃの外周面に当接しつつ軽圧入可能な内径寸法を有する。これにより、レンズ枠３００Ｃに対してヨーク３１２を軽圧入することで、コイル３１１およびヨーク３１２を容易かつ確実に位置決め固定することが可能となっている。ここで、ヨーク３１２は、略円環状に限らず、たとえばレンズ枠３００Ｃが円環状に形成されていない場合であっても、レンズ枠３００Ｃを取り囲むようにレンズ枠３００Ｃの外周部に沿った形状であって、かつレンズ枠３００Ｃの外周形状に対応する係合可能な形状であればよい。
【００４４】
なお、本実施の形態におけるシャッタユニット１１２は、図２に示すように、基板３００上の複数箇所に形成された係止ツメ（嵌合部）３００Ｄによって、レンズ枠３００Ｃの外周面に嵌合して位置決め固定されたヨーク３１２を係止する構成を用いている。これにより、コイル３１１およびヨーク３１２をより容易かつ確実に位置決め固定することが可能となっているだけでなく、コイル３１１およびヨーク３１２の容易な着脱を可能としている。
【００４５】
また、図３は、シャッタユニット１１２の光軸１１０Ａ方向の像面側を示したものである。図３に示すように、基板３００の面３００Ｆには、レンズ枠３００Ｃに形成された開口部３００Ｅ（図２参照）とつながる円形かつ光軸１１０Ａと同軸の開口部３００Ｉが形成されている。
【００４６】
また、基板３００の面３００Ｆにおいては、セクタ部５００が収容される凹状の空間部３００Ｇ（図４参照）が形成されており、当該空間部３００Ｇは、板状の部材からなる裏板４００によって閉塞される。この裏板４００は、螺子４０１によって、基板３００に螺着される。また、裏板４００にはロータ３２０に形成された軸３２０Ａを軸支する開口部４００Ａが形成されている。
【００４７】
また、図４は、裏板４００が脱された状態のシャッタユニット１１２の光軸１１０Ａ方向の像面側を示したものである。図４に示すように、基板３００の面３００Ｆにおいては、空間部３００Ｇが形成されている。そして、この空間部３００Ｇには、基板３００の面３００Ａ（図２参照）から面３００Ｆに向かって貫設されたロータ３２０と係合し、当該ロータ３２０の回動に伴って開閉するセクタＡ５０１とセクタＢ５０２とからなるセクタ部５００が配設されている。
【００４８】
このうち、セクタＡ５０１は、当該セクタＡ５０１に形成された開口部５０１Ａを貫通するロータ３２０に形成された軸３２０Ａによって軸支される。また、セクタＢ５０２は、当該セクタＢ５０２に形成された開口部５０２Ａを貫通する面３００Ｆに形成された突起部３００Ｈによって軸支される。またセクタＡ５０１には、図５を用いて説明する突起部３２０Ｅが貫通する長穴状の開口部５０１Ｂが形成されている。また、セクタＢ５０２には、同じく突起部３２０Ｅが貫通する長穴状の開口部５０２Ｂが形成されている。
【００４９】
（駆動手段３１０の構成）
つぎに、駆動手段３１０の構成について説明する。図５は、駆動手段３１０およびロータ３２０の外観を示す斜視図である。
【００５０】
図５において、コイル３１１は、ボビン３１１Ａと、銅線３１１Ｂとによって構成されている。ボビン３１１Ａは、ポリカーボネートやフェライトなどの材質からなる筒状である。また、ボビン３１１Ａには、銅線３１１Ｂが多重に巻きつけられる。そして、ボビン３１１Ａの内部空間には、ヨーク３１２が貫入される。また、ヨーク３１２は、コイル３１１が通電されることによって励磁される端部３１２Ｂと端部３１２Ｃとを備える。
【００５１】
一方、ロータ３２０には、Ｎ極に着磁された永久磁石３２０ＢとＳ極に着磁された永久磁石３２０Ｃとが軸３２０Ａの外周部に固着されたことによって、２極に着磁された外周面が形成されている。そして、ロータ３２０において、２極に着磁された外周面を有する部分は、ヨーク３１２の端部３１２Ｂとヨークの端部３１２Ｃとの間の空間３１２Ｄ内において回動自在となるように、空間３１２Ｄよりも所定量小さい外径を有する。
【００５２】
また、ロータ３２０には、軸３２０Ａとともに回動するカム３２０Ｄが形成されている。そして、カム３２０Ｄの先端付近には、ロータ３２０がシャッタユニット１１２に組み込まれたときに、セクタＡ５０１およびセクタＢ５０２に形成された開口部５０１Ｂおよび開口部５０２Ｂを貫通する突起部３２０Ｅが形成されている。
【００５３】
（シャッタユニット１１２の動作）
（セクタ部５００が全閉状態のとき）
つぎに、上述した構成によるシャッタユニット１１２の動作について、図６〜図１１を用いて説明する。まず、たとえば撮影待機中など、セクタ部５００が全閉状態のときのロータ３２０およびセクタ部５００の状態について説明する。
【００５４】
図６は、セクタ部５００が全閉状態のときのロータ３２０の状態の概要を示す説明図である。図６に示すように、セクタ部５００が全閉状態のときにおいては、コイル３１１に通電されておらず、ヨーク３１２の端部３１２Ｂおよび端部３１２Ｃが励磁されている状態ではないため、ロータ３２０は所定の位置に停止した状態のままである。
【００５５】
このように、ロータ３２０が所定の位置に停止している状態から、コイル３１１に通電されることによって、ヨーク３１２の端部３１２ＢがＳ極に励磁され、ヨーク３１２の端部３１２ＣがＮ極に励磁される。
【００５６】
これにより、ロータ３２０に設けられＮ極に着磁された永久磁石３２０Ｂにおいて、Ｓ極に励磁されたヨーク３１２の端部３１２Ｂ方向（図６に示す方向Ｂ）に向かって磁力（吸引力）が生じる。同じくロータ３２０に設けられＳ極に着磁された永久磁石３２０Ｃにおいて、Ｎ極に励磁されたヨーク３１２の端部３１２Ｃ方向（図６に示す方向Ａ）に向かって磁力（吸引力）が生じる。
【００５７】
そして、永久磁石３２０Ｂおよび永久磁石３２０Ｃにおいて生じた所定方向への磁力によって、ロータ３２０は、軸３２０Ａを軸に時計回りに回動を始める。
【００５８】
また、図７は、セクタ部５００が全閉状態のときのセクタ部５００の状態の概要を示す説明図である。図７に示すように、セクタ部５００の全閉状態においては、セクタＡ５０１およびセクタＢ５０２によって開口部３００Ｉが閉塞される。また、セクタ部５００は、ロータ３２０の回動と連動して開閉するため、図６に示したようにロータ３２０が停止した状態を維持している限り、セクタ部５００は全閉状態を維持する。このように開口部３００Ｉが閉塞された状態においては、当該開口部３００Ｉ内部を通過した後にＣＣＤ１１４（図１５参照）に向かう被写体の反射光は、開口部３００Ｉを閉塞するセクタ部５００によって遮断される。
【００５９】
このように、セクタ部５００が全閉状態のときのセクタ部５００の状態から、図６を用いて説明したように、ロータ３２０が軸３２０Ａを軸に時計回りに回動を始めることによって、ロータ３２０に形成された突起部３２０Ｅは、セクタ部５００を開く方向に向かって回動を始める。
【００６０】
これにより、セクタＡ５０１は、突起部３２０Ｅによって付勢され、ロータ３２０の軸３２０Ａを軸に、開く方向に向かって回動を始める。同じくセクタＢ５０２も、突起部３２０Ｅによって付勢され、基板３００に形成された突起部３００Ｈを軸に、開く方向に向かって回動を始める。そして、セクタＡ５０１およびセクタＢ５０２が共に開く方向に向かって回動することによって、開口部３００Ｉは徐々に開放される。
【００６１】
（セクタ部５００が開き始めたとき）
つぎに、たとえばユーザによってシャッタユニット１１２が備えられた携帯電話１００（図１４および図１５参照）のシャッタボタンが押下された直後など、セクタ部５００が開き始めたときのロータ３２０およびセクタ部５００の状態について説明する。
【００６２】
図８は、セクタ部５００が開き始めたときのロータ３２０の状態の概要を示す説明図である。図８において、ロータ３２０は、図６に示したように、所定の位置に停止している状態から、コイル３１１に通電されたことにより、永久磁石３２０Ｂおよび永久磁石３２０Ｃにおいて生じた所定方向への磁力によって、軸３２０Ａを軸に時計回りにわずかに回動した状態となっている。
【００６３】
また、図９は、セクタ部５００が開き始めたときのセクタ部５００の状態の概要を示す説明図である。図８において、セクタ部５００は、図７に示したように、開口部３００Ｉを閉塞する状態から、ロータ３２０に形成された突起部３２０Ｅが、セクタ部５００を開く方向に向かって回動を始めたことに伴って、セクタＡ５０１およびセクタＢ５０２が共に開く方向に向かってわずかに回動した状態となっている。これにより、開口部３００Ｉはわずかに開放された状態となっている。
【００６４】
（セクタ部５００が全開状態のとき）
つぎに、セクタ部５００が全開状態のときのロータ３２０およびセクタ部５００の状態について説明する。
【００６５】
図１０は、セクタ部５００が全開状態のときのロータ３２０の状態の概要を示す説明図である。図１０において、ロータ３２０は、図８に示したように、わずかに回動した状態から、さらに軸３２０Ａを軸に時計回りに回動し、所定の停止位置で停止した状態となっている。
【００６６】
また、図１１は、セクタ部５００が全開状態のときのセクタ部５００の状態の概要を示す説明図である。図１１において、セクタ部５００は、図９に示したように、わずかに回動した状態から、さらにセクタＡ５０１およびセクタＢ５０２が共に開く方向に向かって回動し、所定の停止位置で停止した状態となっている。これにより、セクタ部５００は全開状態となっている。また、開口部３００Ｉは全開放された状態となっている。
【００６７】
（シャッタユニット１１２の外形寸法）
つぎに、上述した構成によるシャッタユニット１１２の外形寸法について説明する。図１２はシャッタユニット１１２の光軸１１０Ａ方向の外形寸法（厚さ寸法）を示す説明図である。また、図１３は、シャッタユニット１１２の光軸１１０Ａと直交する方向の外形寸法（横幅寸法）を示す説明図である。
【００６８】
図１２に示すシャッタユニット１１２の光軸１１０Ａ方向の外形寸法（厚さ寸法）Ｗ１は、図２１を用いて説明した従来技術によるシャッタ装置の厚さ寸法Ｗ４よりも小さい外形寸法となっている。このように、シャッタユニット１１２は、一つの部品からなる基板３００に対して、他のすべての部品が組み込まれる構成としたことによって、部品数を減らすことができ、シャッタユニット１１２の組み立て・分解を容易におこなわせることができる。特に、基板３００とレンズ枠３００Ｃと一体形成としたことによって、シャッタユニット１１２の小型化を実現している。
【００６９】
また、図１３に示すシャッタユニット１１２の光軸１１０Ａと直交する方向の外形寸法（横幅寸法）Ｗ２は、図１７および図１８を用いて説明した従来技術によるシャッタユニットの横幅寸法Ｗ３よりも小さい外形寸法となっている。このように、シャッタユニット１１２は、略円環状のヨーク３１２を用いたことによって、コイル３１１をレンズ枠３００Ｃと近接する位置、すなわち可能な限り光軸１１０Ａに近い位置に配設することができ、この結果、シャッタユニット１１２の小型化を実現している。
【００７０】
（携帯電話の構成）
つぎに、この発明の実施の形態１にかかる携帯電話の構成について説明する。図１４は、この発明の実施の形態１にかかる携帯電話の外観を示す斜視図である。
【００７１】
図１４において、携帯電話１００は、カメラ機能を備えた携帯電話であり、カメラモジュール１１０を備えている。このカメラモジュール１１０は、上述したシャッタユニット１１２を備え、ユーザによる携帯電話１００の操作に応じて被写体の反射光を受光する。そして、カメラモジュール１１０は、受光した反射光を結像し、結像された反射光に応じた電気信号をカメラモジュール１１０内部に設けられたＡ／Ｄコンバータ（図示省略）などに出力する。
【００７２】
（カメラモジュール１１０の構成）
つぎに、カメラモジュール１１０の構成について説明する。図１５は、この発明の実施の形態１にかかるカメラモジュール１１０の構成を示す説明図である。
【００７３】
図１５において、カメラモジュール１１０は、箱形に形成されたケースと、当該ケース内部に配設されたレンズユニット１１１と、上述したシャッタユニット１１２と、レンズユニット１１３と、ＣＣＤ１１４とによって構成されている。
【００７４】
このうち、レンズユニット１１１は、ケース内部の光軸１１０Ａ方向の物体側において光軸１１０Ａ方向へ移動自在に設けられている。このレンズユニット１１１は、一枚または複数枚のレンズによって構成された第１レンズ群（いわゆるフォーカスレンズ群）を備え、当該レンズユニット１１１が光軸１１０Ａ方向に往復移動することによって、被写体の反射光がＣＣＤ１１４に照射されるときの焦点を調整する。
【００７５】
シャッタユニット１１２は、ケース内部におけるレンズユニット１１１とレンズユニット１１３との間において光軸１１０Ａ方向への移動自在に設けられている。このシャッタユニット１１２は、一枚または複数枚のレンズによって構成された第２レンズ群（いわゆるズームレンズ群）を備え、当該シャッタユニット１１２が光軸１１０Ａ方向に往復移動することによって、被写体の反射光がＣＣＤ１１４に照射されるときの大きさ（いわゆる画像サイズ）を調整する。また、シャッタユニット１１２は、この発明にかかるシャッタ装置を備え、当該シャッタ装置によってＣＣＤ１１４に照射される被写体の反射光の光量を機械的に調整する。
【００７６】
レンズユニット１１３は、ケース内部におけるシャッタユニット１１２とＣＣＤ１１４との間に固定配置されており、一枚または複数枚のレンズによって構成された第３レンズ群（たとえば不要な反射光をフィルタリングするフィルタレンズ群）を備える。ＣＣＤ１１４は、ケース内部の光軸１１０Ａ方向の像面側に固定配置されており、第１レンズ群、第２レンズ群および第３レンズ群を介して結像された被写体の反射光を受光して、当該反射光の光量に応じた電気信号をカメラモジュール１１０内部に設けられたＡ／Ｄコンバータ（図示省略）などに出力する。
【００７７】
以上説明したように、この実施の形態１にかかるシャッタユニット１１２によれば、略円環状であり、レンズ枠３００Ｃの外周部を周回するように配置されるヨーク３１２を用いたことによって、コイル３１１およびヨーク３１２を、レンズ枠３００Ｃに近接する位置、すなわち可能な限り光軸１１０Ａに近い位置に配置することができる。これにより、シャッタユニット１１２の横幅寸法（光軸１１０Ａと直交する方向における外形寸法）を小さくすることができる。
【００７８】
また、一つの部品からなる基板３００に対して、他のすべての部品が組み込まれる構成とし、特に、基板３００と、レンズ枠３００Ｃ、軸受部３００Ｂ、および空間部３００Ｇとを一体形成としたことによって、部品数を減らすことができ、シャッタユニット１１２の組み立て・分解を容易におこなわせることができる。この結果、シャッタユニット１１２をより小型化することができるうえ、シャッタユニット１１２の整備性の向上を図ることができる。
【００７９】
また、レンズ枠３００Ｃ、および軸受部３００Ｂに備えられた位置決め部３００Ｓによって位置決め固定されるうえ、係合または嵌合部としての係止ツメ３００Ｄによって係止されるヨーク３１２を用いたことによって、シャッタユニット１１２の組み立て・分解を容易におこなわせることができる。
【００８０】
そして、この実施の形態１にかかる携帯電話１００によれば、上述したように小型化かつ整備性が向上されたシャッタユニット１１２を用いたことによって、携帯電話１００をより小型化することができるうえ、携帯電話１００の整備性の向上を図ることができる。
【００８１】
なお、実施の形態１にかかるシャッタユニット１１２においては、直線状のコイル３１１を用いたが、ヨーク３１２の形状に対応したコイル３１１を用いるようにしてもよい。たとえば、曲線状のコイル３１１、柔軟性のあるコイル３１１、小型のコイル３１１などを一つまたは複数用いるようにしてもよい。これにより、コイル３１１をよりレンズ枠３００Ｃに近接配置させることができ、ヨーク３１２を開口部３００Ｅ側に寄せてコンパクト化することができる。その結果、シャッタユニット１１２およびこれを用いた携帯電話１００をさらに小型化することができる。
【００８２】
（実施の形態２）
（デジタルカメラの構成）
つぎに、実施の形態２について説明する。実施の形態２は、この発明にかかるシャッタ装置を用いたデジタルカメラの構成例である。図１６は、この発明の実施の形態２にかかるデジタルカメラの外観を示す斜視図である。
【００８３】
図１６において、デジタルカメラ１６００は、実施の形態１で説明したシャッタユニット１１２と同様の構成を用いて小型化かつ整備性が向上されたシャッタユニット１６１０を備えている。このように、この実施の形態２にかかるデジタルカメラ１６００によれば、上述したように小型化かつ整備性が向上されたシャッタユニット１６１０を用いたことで、デジタルカメラ１６００をより小型化することができるうえ、デジタルカメラ１６００の整備性の向上を図ることができる。なお、この発明にかかるシャッタ装置は、携帯電話やデジタルカメラに限らず、あらゆる撮像装置に用いることができる。
【００８４】
なお、上述した実施の形態１および２では、基板３００にコイル３１１、ヨーク３１２、ロータ３２０、およびその軸受部３００Ｂを設けた構成例を示したが、これのみに限らず、その反対側の板状部材としての裏板４００に、同じように設けるようにしてもよい。
【００８５】
また、上述した実施の形態１および２では、基板３００を、多数のレンズ群のうち第２レンズ群の鏡胴として適用した例を示したが、これのみに限らず、たとえば第１レンズ後段、第３、第４、第５の各レンズ群、およびそれらの一部レンズの鏡胴であってもよい。また、レンズを含まず開口部だけのものであってもよい。
【００８６】
さらに、上述した実施の形態１および２では、ロータ３２０の軸受けの一方を基板３００に、他方を裏板４００に設けた例を示したが、これのみに限らず、たとえばその両方を基板３００に、または裏板４００に設けるように構成してもよい。
【産業上の利用可能性】
【００８７】
以上のように、本発明にかかるシャッタ装置およびこれを用いた撮像装置は、あらゆる撮像装置への利用が可能であり、特に、シャッタ装置の設置スペースが制限される携帯電話や小型デジタルカメラなどの撮像装置への利用に適している。
【図面の簡単な説明】
【００８８】
【図１】この発明にかかるシャッタ装置を備えたシャッタユニットの部品構成を示す説明図である。
【図２】この発明にかかるシャッタ装置を備えたシャッタユニットの外観を示す斜視図である。
【図３】この発明にかかるシャッタ装置を備えたシャッタユニットの外観を示す斜視図である。
【図４】この発明にかかるシャッタ装置を備えたシャッタユニットの外観を示す斜視図である。
【図５】駆動手段およびロータの外観を示す斜視図である。
【図６】セクタ部が全閉状態のときのロータの状態の概要を示す説明図である。
【図７】セクタ部が全閉状態のときのセクタ部の状態の概要を示す説明図である。
【図８】セクタ部が開き始めたときのロータの状態の概要を示す説明図である。
【図９】セクタ部が開き始めたときのセクタ部の状態の概要を示す説明図である。
【図１０】セクタ部が全開状態のときのロータの状態の概要を示す説明図である。
【図１１】セクタ部が全開状態のときのセクタ部の状態の概要を示す説明図である。
【図１２】シャッタユニットの光軸方向の外形寸法を示す説明図である。
【図１３】シャッタユニットの光軸と直交する方向の外形寸法を示す説明図である。
【図１４】この発明の実施の形態１にかかる携帯電話の外観を示す斜視図である。
【図１５】この発明の実施の形態１にかかるカメラモジュールの構成を示す説明図である。
【図１６】この発明の実施の形態２にかかるデジタルカメラの外観を示す斜視図である。
【図１７】従来技術によるシャッタユニットの一例を示す説明図である。
【図１８】従来技術によるシャッタユニットの一例を示す説明図である。
【図１９】従来技術によるレンズユニットの一例を示す説明図である。
【図２０】従来技術によるレンズユニットの一例を示す説明図である。
【図２１】一体化された状態のシャッタユニットおよびレンズユニットを示す説明図である。
【符号の説明】
【００８９】
１００  携帯電話
１１０  カメラモジュール
１１１  レンズユニット
１１２  シャッタユニット
１１３  レンズユニット
１１４  ＣＣＤ
３００  基板
３１０  駆動手段
３１１  コイル
３１２  ヨーク
３２０  ロータ
４００  裏板
５００  セクタ部
５０１  セクタＡ
５０２  セクタＢ
６００  第２レンズ群
【図１】
2008040114.tif 000003
【図２】
2008040114.tif 000004
【図３】
2008040114.tif 000005
【図４】
2008040114.tif 000006
【図５】
2008040114.tif 000007
【図６】
2008040114.tif 000008
【図７】
2008040114.tif 000009
【図８】
2008040114.tif 000010
【図９】
2008040114.tif 000011
【図１０】
2008040114.tif 000012
【図１１】
2008040114.tif 000013
【図１２】
2008040114.tif 000014
【図１３】
2008040114.tif 000015
【図１４】
2008040114.tif 000016
【図１５】
2008040114.tif 000017
【図１６】
2008040114.tif 000018
【図１７】
2008040114.tif 000019
【図１８】
2008040114.tif 000020
【図１９】
2008040114.tif 000021
【図２０】
2008040114.tif 000022
【図２１】
2008040114.tif 000023